(57)【特許請求の範囲】
【請求項１】
芯材の左右両面を金属板で挟み込んで構成するパネル体であって、
前記芯材に臨んで、金属板の挟み込み対向と直交する方向に対向させて補強部材を芯材を介して対向配置し、その補強部材の一部を芯材を含む本体部から所定方向に突出させるとともに、その突出部に沿うように前記金属板を延長させ、その延長部分を含めて金属板を、補強部材及び芯材の外周囲をほぼ覆うように変形させていることを特徴とする家具用パネル体。
【請求項２】
本体部から突出させた突出部の補強部材に対して、更に対向配置された他の補強部材を有し、それら１組の補強部材間にも芯材を配置している請求項１記載の家具用パネル体。
【請求項３】
変形によって互いに向き合う左右の金属板の折曲部間に、若干のクリアランスを確保している請求項１又は２記載の家具用パネル体。
【請求項４】
変形によって互いに向き合う左右の金属板の折曲部が、少なくとも補強部材の位置決め手段として機能している請求項１〜３のいずれかに記載の家具用パネル体。
【請求項５】
補強部材は芯材の端面を四方から囲む位置に設けてあり、その一部が芯材を含む本体部から所定方向に突出している請求項１〜４のいずれかに記載の家具用パネル体。
【請求項６】
少なくとも一部の補強部材は芯材側に開口する内向きコ字形をなし、芯材の両面に連続する位置に配されるその側壁の内縁は更に折り曲げられて折曲片が芯材の端面に密接に添設し、補強部材の側壁と芯材の側面との境界部分に補強部材のエッジが位置することを回避している請求項５記載の家具用パネル体。
【請求項７】
パネル本体及び突出部を含め、パネル面に垂直な方向から見た場合に外観が直線をなす部分はコ字形の補強部材を用いてその底壁を当該直線に沿って配置し、外観が非直線状をなす部分はコ字形の補強部材を用いてその側壁の先端縁に当該非直線形状を付与している請求項１〜６のいずれかに記載の家具用パネル体。
【請求項８】
本体部と突出部との交叉部分に対して、本体部を覆う金属板の折曲部から突出部を覆う金属板の折曲部までの間を絞りや肉抜き等の変形部を伴う中間折曲部を介して連続させている請求項１〜７のいずれかに記載の家具用パネル体。
【請求項９】
左右の金属板全体を鏡面対称となるように構成している請求項１〜８のいずれかに記載の家具用パネル体。
【請求項１０】
芯材がペーパーハニカム等の軽量芯材である請求項１〜９のいずれかに記載の家具用パネル体。
【発明の詳細な説明】
【技術分野】
【０００１】
本発明は、デスクやテーブルの構成要素等として好適に利用可能な家具用パネル体に関するものである。
【背景技術】
【０００２】
例えば、芯材を用いたパネルとして、特許文献１に示すもの等が知られている。この種のものは、上面板材と下面板材の間に、ペーパーハニカム等の軽量芯材を介装し、必要に応じ四辺に沿って補強部材を配置することによりパネルを構成して、これを天板等として利用できるようにしている。
【特許文献１】実用新案登録第３１１４０９５号公報
【発明の開示】
【発明が解決しようとする課題】
【０００３】
ところが、この種の構造は、従来においては全て矩形状のパネルに適用したものばかりである。このような芯材を用いて構成したパネルは、仕上がり感が良好であって、質感や強度が高く、物が衝突した際に安っぽい音がしないなど、優れた効果があるが、矩形以外のパネル体の場合は、通常、スチール材を溶接等で接合してその形状に仕上げるのが常套手段であり、溶接痕やスチール材同士の継ぎ目が外観品質を低下させ、質感も低下するという不具合がある。また、これを解決すべく全体をアルミダイキャストで構成すると、いきおい高価なものになってしまう。
【０００４】
本発明は、このような課題に着目し、芯材と金属板のサンドイッチ構造で矩形以外のものを実現し、これにより叙述した不具合を解決することを目的としている。
【課題を解決するための手段】
【０００５】
本発明は、かかる目的を達成するために、次のような手段を講じたものである。
【０００６】
すなわち、本発明の家具用パネル体は、芯材の左右両面を金属板で挟み込んで構成するものであって、前記芯材に臨んで、金属板の挟み込み対向と直交する方向に対向させて補強部材を芯材を介して対向配置し、その補強部材の一部を芯材を含む本体部から所定方向に突出させるとともに、その突出部に沿うように前記金属板を延長させ、その延長部分を含めて金属板を、補強部材及び芯材の外周囲をほぼ覆うように変形させていることを特徴とする。
【０００７】
このように構成すれば、突出部を形成している補強部材の基端は本体部内に入り込んで芯材等とともに金属板によって一体に挟み込まれるので、このような突出部を有する異型なパネル体であっても、突出部は本体部と一体化されて強度が得られ、外面に露出する部分は金属板が本体部から突出部にかけての領域及びそれらの外周端面に至るまでをほぼ連続した面で包み込んで質感のある良好な外観を呈することとなる。
【０００８】
突出部の形態を更に展開する上で有効な構造としては、本体部から突出させた突出部の補強部材に対して、更に対向配置された他の補強部材を有し、それら１組の補強部材間にも芯材を配置しているものが挙げられる。
【０００９】
加圧接着を適切に行い、外観の向上にも利用できるようにするためには、変形によって互いに向き合う左右の金属板の折曲部間に、若干のクリアランスを確保していることが望ましい。
【００１０】
パネル体の外形を損なわずに、内部要素である補強部材等の適切な配置をなすためには、変形によって互いに向き合う左右の金属板の折曲部が、少なくとも補強部材の位置決め手段として機能していることが望ましい。
【００１１】
補強部材の突出状態を確保しつつ、本体部の強度を有効に高めるためには、補強部材は芯材の端面を四方から囲む位置に設けてあり、その一部が芯材を含む本体部から所定方向に突出した状態に設けていることが好ましい。
【００１２】
金属板の表面において、補強部材と芯材との境界部分に対応する部位の面精度を高めるためには、少なくとも一部の補強部材が芯材側に開口する内向きコ字形をなし、芯材の両面に連続する位置に配されるその側壁の内縁が更に折り曲げられて折曲片が芯材の端面に密接に添設し、これにより補強部材の側壁と芯材の側面との境界部分に補強部材のエッジが位置することを回避するようにしておくことが有効となる。
【００１３】
補強部材によって強度を確保しつつ、種々のパネル本体の外形に対応するためには、パネル本体及び突出部を含め、パネル面に垂直な方向から見た場合に外観が直線をなす部分はコ字形の補強部材を用いてその底壁を当該直線に沿って配置し、外観が非直線状をなす部分はコ字形の補強部材を用いてその側壁の先端縁に当該非直線形状を付与していることが効果的である。
【００１４】
更に複雑な形状に対応するためには、本体部と突出部との交叉部分に対して、本体部を覆う金属板の折曲部から突出部を覆う金属板の折曲部までの間を絞りや肉抜き等の変形部を伴う中間折曲部を介して連続させていることが効果的である。
【００１５】
この家具用パネル体を種々の使用形態に対応させるためには、左右の金属板全体を鏡面対称となるように構成しておくことが望ましい。
【００１６】
軽量化と強度向上の両立を図り、異音の発生等をも抑えるためには、芯材がペーパーハニカム等の軽量芯材であることが好ましい。
【発明の効果】
【００１７】
本発明は、以上説明した構成であるから、芯材の左右両面を補強部材とともに金属板で挟み込んで家具用パネル体を構成するにあたり、その一部に突出部を有するパネル形状を質感やパネル強度を保って有効に実現することができ、これによりオフィス家具分野において従来にはない構成の家具を様々に追求できるようにした、新規有用な家具用パネル体を提供することが可能となる。
【発明を実施するための最良の形態】
【００１８】
以下、本発明の一実施形態を、図面を参照して説明する。
【００１９】
図１は、本実施形態の家具用パネル体の側面を示している。
この家具用パネル体Ａは、ほぼ矩形状の本体部１と、この本体部１から一方向にほぼ平行に突出する上突出部２及び下突出部３とを具備している。本体部１は上下に直線状に延びる板状をなし、その上下端付近から前記突出部２，３が交叉する方向に延びている。本体部１と上突出部２との入隅部１ｘ及び本体部１と下突出部３との入隅部１ｙは湾曲しており、上突出部２の上面２ａ及び下突出部３の下面３ｂは本体部１と直交する直線状をなしており、上突出部２の下面２ｂ及び下突出部３の上面３ａは突出端に向かって両者間の距離が広がる方向に傾斜している。
【００２０】
図２はこの異型なパネル体Ａの内部構造を示している。本体部１は、一対の対向する縦補強部材１１、１２と、一対の対向する上補強部材１３及び下補強部材１４とを、枠体状をなすように密接に配置し、内側に形成される矩形状の領域に芯材１５を配置して、紙面に垂直な方向から金属板である一対の鋼板１６を接着材を介して挟み込むように添設し、加圧接着加工を施すことにより、これら補強部材１１，１２，１３，１４と、芯材１５と、鋼板１６とを接合している。補強部材１１，１２，１３，１４及び鋼板１６には、本実施形態の場合スチール製のものを用いているが、コスト的な制約がなければアルミ等を用いても構わない。
【００２１】
縦補強部材１１（１２）は、図３の平断面に示すように、側壁１１ａ、１１ａ間（１２ａ、１２ａ間）を底壁１１ｂ（１２ｂ）で繋いだチャネル状のもので、本体部１の両端面に沿って底壁１１ｂを配置し、側壁１１ａ（１２ａ）の先端側を内側に向けて、内向きに開口し、その側壁１１ａ（１２ａ）の先端側に互いに相寄る方向の折曲片１１ｃ（１２ｃ）を形成している。
【００２２】
上補強部材１３は、図２及び図４に示すように、側壁１３ａ、１３ａ間を底壁１３ｂで繋いだチャネル状のもので、下向に開口し、底壁１３ｂが上突出部２の上面２ａに沿って本体部１から直線状に延びている。上補強部材１３の側壁１３ａの先端縁のうち、芯材１５の端面１５ｘ及び縦補強部材１１の端面１１ｘに臨む先端縁１３ａ１はこれらに平行に向き合うように直線状に形成し、上突出部２の下面２ｂ側に位置する先端縁１３ａ２はその上突出部２の入隅部１ｘの外形に沿って緩やかに湾曲した後に上突出部２の下面２ｂの傾斜に沿ってほぼテーパ状に延びるように形成している。この上補強部材１３の内部には、側壁間１３ａ、１３ａに挟みこまれるようにして下向きチャネル状をなす補助の補強部材１３ｄと上向チャネル状をなす補助の補強部材１３ｅとが内設してある。
【００２３】
下補強部材１４は、図２及び図４に示すように、側壁１４ａ、１４ａ間を底壁１４ｂで繋いだチャネル状のもので、上向きに開口し、底壁１４ｂが下突出部３の下面３ｂに沿って本体部１から直線状に延びている。下補強部材１４の側壁１４ａの先端縁のうち、芯材１５の端面１５ｙ及び縦補強部材１１，１２の端面１１ｙ、１２ｙに臨む先端縁１４ａ１はこれらに平行に向き合うように直線状に形成し、下突出部３の上面３ａ側に位置する先端縁１４ａ２はその上突出部２の入隅部１ｙの外形に沿って緩やかに湾曲した後に下突出部３の上面３ａの傾斜に沿ってほぼテーパ状に延びるように形成している。この下補強部材１４の内部には、側壁間１４ａ、１４ａに挟みこまれるようにして上向チャネル状をなす補助の補強部材１４ｄが内設してある。
【００２４】
そして、スチール製の鋼板１６を両側から挟み込む際に、鋼板１６は図５に示す本体部１の縦断面において上補強部材１３の底壁１３ｂの上面に折曲部１６ａを形成し、下補強材１４の底壁１４ｂの下面に折曲部１６ｂを形成するとともに、図６に示す上突出部２及び下突出部３の縦断面において上補強部材１３の側壁１３ａの先端縁１３ａ２に沿って折曲部１６ｃを、下補強材１４の側壁１４ａの先端縁１４ａ２に沿って折曲部１６ｄをそれぞれ形成し、更に、図７に示す本体部１の平断面において縦補強材１１，１２の底壁１１ｂ、１２ｂの外側端面に折曲部１６ｅ、１６ｆをそれぞれ形成するようにしている。
【００２５】
その際、加圧接着後に一対の鋼板１６，１６の折曲部１６ａ−１６ａ間、１６ｂ−１６ｂ間、１６ｃ−１６ｃ間、１６ｄ−１６ｄ間、１６ｅ−１６ｅ間、１６ｆ−１６ｆ間に若干のクリアランスが確保されるように、所要寸法の鋼板１６が用いられている。また、図２に示す本体部１と突出部２，３との交叉部分に対して、本体部１を覆う鋼板１６の折曲部１６ｅから突出部２，３を覆う鋼板１６の折曲部１６ｃ、１６ｄまでの間（入隅部１ｘ、１ｙに相当する部位）は、曲率が比較的大きいため、図８に示すように、絞り加工のほか肉抜き部の等の変形部６１ａ、６２ａを伴う中間折曲部６１，６２を介して連続させている。
【００２６】
折曲は所定の金型を用いて行われるため折曲位置は決まっており、図２に示す折曲部１６ａ〜１６ｆは補強部材１１，１２，１３，１４をその内側に収めつつ折れ曲がることでこれらの位置決め手段として機能し、芯材１５もこれによって間接的に補強部材１１，１２，１３，１４の内側に位置決めされることとなる。位置決め手段としての利用は、一方の鋼板１６に折曲部を形成し、それに補強部材１１，１２，１３，１４を位置決め状態で配置した上で、他方の鋼板１６を被せて折曲部を形成するという手法によっても実施することができる。先になお、以上のようにこのパネル体の構造は、左右の鋼板１６，１６を含め、全て左右対称とされる。
【００２７】
このように構成される本実施形態のパネル体は、図９に示すように、本体部１を脚側板とし、上突出部２をステー部とし、下突出部３をベース部として、デスク等の天板付家具を構成するコ字形の脚として用いることができる。下突出部３には図２に示す補強部材１４ｄを利用してアジャスタ３ｚが取り付けられ、上突出部２には図２に示す補強部材１３、１３ｄ、１３ｅを利用して天板４を取り付けるための固定爪２ｙや可動爪２ｚ等が設けられ、本体部１には図２に示す縦補強部材１２を利用して背板５を取り付けるための固定爪１ｙや可動爪１ｚ等が設けられる。天板４は、その下面に設けたフック孔４ｙ、４ｚに固定爪２ｙ及び可動爪２ｚを受容しつつステー部として機能する突出部２上に載せ置かれ、その位置で可動爪２ｚを固定爪２ｙに対して相対的に移動させることによって、天板４が突出部２に固定されることになり、背板５は、その前面に設けたフック孔５ｙ、５ｚに固定爪１ｙ及び可動爪１ｚを受容しつつ脚側板として機能する本体部１の裏面に添設され、その位置で可動爪１ｚを固定爪１ｙに対して相対的に移動させることによって、背板５が本体部１に固定されることになる。
【００２８】
パネル体Ａは厚み方向に左右対称であるため、図１０に示す左右の脚１，１に同じパネル体Ａを用いることができ、対面使用の天板面を形成する際にも図１１に示すように前後の脚１，１に同じパネル体Ａ，Ａを背合わせに配置して構成することができる。
【００２９】
以上のように、本実施形態のパネル体Ａは、芯材１５の左右両面を一対のスチール製の鋼板１６で挟み込んで構成するにあたり、その芯材１５に臨んで、鋼板１６の挟み込み対向と直交する方向に対向させてスチール製の補強部材１３、１４を芯材１５を介して対向配置し、その補強部材１３，１４の一部を芯材１５を含む本体部１から所定方向に突出させるとともに、その突出部２，３に沿うように鋼板１６を延長させ、その延長部分を含めて鋼板１６を、補強部材１３，１４及び芯材１５の外周囲をほぼ覆うように変形させたものである。
【００３０】
このように構成することにより、突出部２，３を形成している補強部材１３，１４の基端は本体部１内に入り込んで芯材１５等とともに鋼板１６によって一体に挟み込まれるので、このような突出部２，３を有する異型なパネル体Ａであっても、突出部２，３は本体部１と一体化されて強度が得られ、外面に露出する部分は鋼板１６が本体部１から突出部２，３にかけての領域及びそれらの外周端面に至るまでをほぼ連続した面で包み込むため、特に本体部１と突出部２，３との間が溶接痕や継ぎ目のない状態で完成されて、本体部１から突出部２，３が、入隅部１ｘ、１ｙの湾曲形状も含めて面一な状態となり、質感の高い良好な外観を呈することとなる。そして、前記スリットを利用して図８に示すように本体部１から突出部２，３に亘って連続するエッジカバー１００等を装着すれば、側面から見ても正面から見ても外観品質の高い家具用パネル体Ａを構成することができる。
【００３１】
この場合、変形によって互いに向き合う左右の鋼板１６の折曲部１６ａ−１６ａ間、１６ｂ−１６ｂ間、１６ｃ−１６ｃ間、１６ｄ−１６ｄ間、１６ｅ−１６ｅ間、１６ｆ−１６ｆ間に、若干のクリアランスを確保しているので、加圧接着する場合等に、左右の鋼板１６，１６同士を接触させることなく、優先的に芯材１５及び補強部材１１，１２，１３，１４に押し当てて確実に面接着することができる。
【００３２】
そして、変形によって互いに向き合う左右の鋼板１６，１６の折曲部１６ａ、１６ｂ、１６ｃ、１６ｄ、１６ｅ、１６ｆが、単に本体部１や突出部２，３の外周位を覆うだけでなく、その折曲部１６ａ、１６ｂ、１６ｃ、１６ｄ、１６ｅ、１６ｆを補強部材１１，１２，１３，１４等の位置決め基準として利用することができるので、パネル体Ａの外形を損なわずに、内部要素である補強部材１１，１２，１３，１４等の適切な配置をなすことができる。
【００３３】
また、補強部材１１，１２，１３，１４は芯材１５の端面を四方から囲む位置に設けてあり、一部の補強部材１３，１４が芯材１５を含む本体部１から所定方向に突出していて、補強部材１１，１２、１３，１４が芯材１５の周囲を枠体状に囲んで、これらを鋼板１６が一体的に挟み込んで本体部１を構成するので、補強部材１３，１４の突出状態を確保しつつ、本体部１の強度を有効に高めることができる。
【００３４】
この場合、少なくとも図３に示す補強部材１１，１２は芯材１５側に開口する内向きコ字形をなし、芯材１５の両面１５ａに連続する位置に配されるその側壁１１ａ、１２ａの内縁は更に折り曲げられて折曲片１１ｃ、１２ｃが芯材１５の端面１５ｂに密接に添設し、補強部材１１，１２の側壁１１ａ、１２ａと芯材１５の側面１５ａとの境界部分に補強部材１１，１２のエッジ１１ｚ、１２ｚが位置することを回避しているので、外観品質の向上に有効に寄与しているものとなる。
【００３５】
すなわち、図１２（ａ）に示すように補強部材１１，１２のエッジ１１ｚ、１２ｚと芯材１５とが隣接していると、鋼板１６を加圧接着した際に、芯材１５との境界部分において補強部材１１，１２の硬質で鋭利なエッジ１１ｚ、１２ｚによって鋼板１６の表面にエッジ１１ｚ、１２ｚに沿った線が現われ易いが、その部位に同図（ｂ）のような折曲部１１ｃ、１２ｃを形成しておけば、芯材１５との境界部分が滑らかなアール形状（Ｒ）となるので、このような鋼板１６の表面への影響を有効に低減することができる。この実施形態の補強部材１３，１４には芯材１５との隣接部分に折曲部を形成していないが、これらにも同様の折曲部を形成しておくことが有効であるのは言うまでもない。
【００３６】
さらに、図２等に示すように、パネル本体１及び突出部２，３を含め、パネル面に垂直な方向から見た場合に外観が直線をなす部分（ステー部となる上突出部２の上面部分や脚側板となる本体部１の前後端面部分）はコ字形をなす補強部材１３、１４、１１，１２を用いてその底壁１３ｂ、１４ｂ、１１ｂ、１２ｂを当該直線に沿って配置し、外観が非直線状をなす部分（ステー部となる上突出部２と脚側板となる本体部１との入隅部分１ｘや、ベース部となる下突出部３と脚側板となる本体部１との入隅部分１ｙなど）はコ字形の補強部材１３，１４を用いてその側壁１３ａ、１４ａの先端縁１３ａ１、１４ａ１に当該非直線形状を付与しているので、このような具体的な異形形状も補強部材１１，１２，１３，１４を用いて有効に実現することができる。
【００３７】
また、本体部１と突出部２，３との交叉部分に対して、本体部１を覆う鋼板１６の折曲部１６ｅから突出部２，３を覆う鋼板１６の折曲部１６ｃ、１６ｄまでの湾曲した部分を絞りや肉抜き等の変形部６１ａ、６２ａを伴う中間折曲部６１，６２を介して連続させているので、本体部１や突出部２，３の周囲に鋼板１６による折曲部１６ｅ、１６ｃ、１６ｄを適切に形成しつつ、その交叉した入隅部１ｘ、１ｙ等を変形した中間折曲部６１，６２によって滑らかに連続させて具体的な異形形状に有効に対応することができる。
【００３８】
さらにまた、左右の鋼板１６，１６を全体として鏡面対称となるように構成しているので、この家具用パネル体を対面配置して図１０に示したデスク等の家具を構成する場合や、背合わせに配置して図１１に示した対面デスク等の家具を構成する場合に、家具用パネル体を脚として左右共通、前後共通に使用することができる。
そして、芯材１５がペーパーハニカム等の軽量芯材で構成されているため、軽量化と強度向上との両立が図れるとともに、物が衝突した際に安っぽい音がすることがなく、特にデスクの足元では人の足や椅子、ワゴン等が脚に衝突し易いため、デスクの品質を有効に高めることが可能となる。
【００３９】
なお、各部の具体的な構成は、上述した実施形態のみに限定されるものではなく、本発明の趣旨を逸脱しない範囲で種々変形が可能である。
【００４０】
例えば、上記実施形態では家具用パネル体がコ字形をなしていたが、図１３に示すように、本体部１０１から両方向に上突出部１０２及び下突出部１０３を設けて対面デスクの端部脚として利用可能なＨ字形の家具用パネル体を構成することもできるし、図１４に示すように、本体部２０１から両方向に上突出部２０２のみを設けて対面デスクの中間脚として利用可能なＴ字形の家具用パネル体を構成することもできる。
【００４１】
或いは、この中間脚を対面ではないデスクにも使用可能なものにするには、Ｌ字形の家具用パネル体を背合わせに突き合わせればよく、このようなＬ字形の家具用パネル体（図示省略）を構成することも勿論可能である。
【００４２】
そして、補強部材を芯材の四辺を囲む位置に設けておき、対向する一対の補強部材が芯材を含む本体部から同方向に突出しているものをコ字脚やＨ字脚の脚構造体として用いれば、高強度でありながら天板受け（ステー部）や脚部（ベース部）を細く仕上げることが可能になり、Ｔ字脚やＬ字脚においてもこれに準じた作用効果を得ることができる。
【００４３】
また、芯材の両側を補強部材とともに挟み込むスチール鋼板は、上記実施形態のように一対である場合に限らず、全体が１つに繋がったものであっても構わない。
【００４４】
また、補強材の本体部からの突出部を利用して、更にパネル面を拡張する態様も可能である。例えば、図１５（ａ）に示す家具用パネル体Ｂは、本体部３０１から突出させた突出部３０２の補強部材３１３に対して、当該補強部材３１３に更に対向配置された他の補強部材３１３ｘを有し、それら１組の補強部材３１３，３１３ｘ間にも芯材３１５ｘを配置して、これらを前記実施形態と同様に両側から鋼板等の金属板（図示省略）で挟み込んだものである。他の補強部材３１３ｘは本体部３０１を構成している前補強部材３１１に接合されていても接合されていなくても構わないし、この芯材３１５ｘは本体部３０１の芯材３１５と一体でも別体でも構わない。加圧接着後に一体化されるからである。同図（ｂ）で示すものは、本体部３０１を構成する前補強部材３１１が芯材３１５，３１５ｘ間を区画する位置に延びている変形例である。これらの図において、他の補強部材に関する説明や図示は一部省略している。
【００４５】
このような家具用パネル体であっても、上記実施形態と同様に種々の作用効果を得ることができる。そして、図示のものは、Ｌ型天板として有効に活用することが可能となる。
【００４６】
更に、このようなＬ型天板から形状を展開するためには、図１５（ｃ）に示すように、他の補強部材３１３ｘの外側に湾曲等の異形部３０１ｚを形成するための軽量芯材やＭＤＦ等の木質材などからなる形状補填材Ｚを配置し、この形状補填材Ｚを含んだ状態で両側から図示しない金属板でサンドイッチする構造が有効である。このようにすれば、本体部３０１と突出部３０２の入隅部にアール部分等を容易に形成することができる。そして、これらの形状補填材Ｚも、補強部材３１３ｘや３１１に接着してもよいし接着しなくてもよい。加圧接着後に一体化されるからである。
【００４７】
さらにまた、上記の形状補填材は、天板のように上載荷重を受ける箇所でなければ、上記の形状補填材は、鋼板でサンドイッチした後の家具用パネル体に対して後付けすることも可能である。
【図面の簡単な説明】
【００４８】
【図１】本発明の一実施形態に係る家具用パネル体の側面図。
【図２】図１の内部構造を示す図。
【図３】図２におけるIII−III線拡大断面図。
【図４】図３におけるIV−IV線拡大断面図。
【図５】製造工程を示す図４に対応した図。
【図６】図２におけるV−V線拡大断面図。
【図７】製造工程を示す図３に対応した図。
【図８】同実施形態の中間折曲部を示す図。
【図９】同家具用パネル体の使用状態を示す図。
【図１０】同家具用パネル体の他の使用状態を示す図。
【図１１】同実施形態における折曲部の作用を示す図。
【図１２】本発明の他の実施形態に係る家具用パネル体の斜視図。
【図１３】本発明の更に他の実施形態に係る家具用パネル体の斜視図。
【図１４】本発明の上記以外の実施形態に係る家具用パネル体の斜視図。
【図１５】本発明の更に上記以外の実施形態に係る家具用パネル体の平面図。
【符号の説明】
【００４９】
Ａ…家具用パネル体
１…本体部
２…上突出部
３…下突出部
１５…芯材
１６…鋼板
１１，１２，１３，１４…補強部材
１６ａ、１６ｂ、１６ｃ、１６ｄ、１６ｅ、１６ｆ…折曲部
【図１】
0005339268.tif 000002
【図２】
0005339268.tif 000003
【図３】
0005339268.tif 000004
【図４】
0005339268.tif 000005
【図５】
0005339268.tif 000006
【図６】
0005339268.tif 000007
【図７】
0005339268.tif 000008
【図８】
0005339268.tif 000009
【図９】
0005339268.tif 000010
【図１０】
0005339268.tif 000011
【図１１】
0005339268.tif 000012
【図１２】
0005339268.tif 000013
【図１３】
0005339268.tif 000014
【図１４】
0005339268.tif 000015
【図１５】
0005339268.tif 000016